(57)【特許請求の範囲】
【請求項１】
盤面に形成されて遊技玉が流下する遊技領域と、遊技の演出のための演出領域とを有する遊技盤を有する弾球遊技機であって、
上面が略水平に設けられた水平領域を有し、前記演出領域の前方に配置され、所定の流路を通過した遊技玉が転動するステージと、
前記演出領域への遊技玉の進入を規制すべく、前記ステージと前記演出領域との間を仕切る仕切部と、前記仕切部から前方に向けて設けられる庇部と、前記庇部の前後方向の途中に配置され、前記遊技領域から前記ステージへの遊技玉の進入を規制するステージ進入規制部とを有する進入規制部材とを含み、
前記ステージ進入規制部は、前記庇部においてステージ側に向かって凹んで形成された凹部の前側に設けられる前壁により構成され、
前記前壁は、前記盤面と略同一平面に位置している、弾球遊技機。
【請求項２】
前記ステージ進入規制部は、前方に向かうに従って上方に傾斜するテーパ状をなしている、請求項１に記載の弾球遊技機。
【請求項３】
前記ステージ進入規制部は、鉛直状をなして配置されている、請求項１に記載の弾球遊技機。
【請求項４】
前記ステージは、その上面が略水平に設けられた水平領域を含み、
前記ステージ進入規制部は、前記庇部の、正面視で前記水平領域の上方の領域に形成されている、請求項１〜３のいずれか一項に記載の弾球遊技機。
【請求項５】
前記ステージ進入規制部は、前記庇部の、正面視で前記水平領域の上方の領域を除く領域には形成されていない、請求項４に記載の弾球遊技機。
【発明の詳細な説明】
【技術分野】
【０００１】
本発明は、演出領域への遊技玉の進入を規制する進入規制部材を、遊技盤に備えた弾球遊技機に関する。
【背景技術】
【０００２】
弾球遊技機は、遊技盤の盤面に、遊技玉が流下する遊技領域と、遊技の演出のための演出領域とを備える。演出領域には、たとえば液晶表示装置などの演出装置が配置されている。演出領域の前方には、ステージが配置されている。下記特許文献１には、ステージ上の領域と演出領域との間を仕切るように配置されたカバー部材を備えたパチンコ機が開示されている。
【先行技術文献】
【特許文献】
【０００３】
【特許文献１】特開２０１１−９２６３９号公報
【発明の概要】
【発明が解決しようとする課題】
【０００４】
遊技領域を流下する遊技玉は、ステージ上の空間に進入して、ステージに乗り上げることがある。ステージへの進入が許容されるのは、所定の流路（たとえばワープ通路）を通過した遊技玉のみであることが望ましく、当該所定の流路以外の経路を通って、遊技玉がステージに進入するのは、入賞率を調節する関係上、好ましくない。特許文献１に記載の進入規制部材（カバー部材）は、演出領域への遊技玉の進入を抑制できるが、ステージへの遊技玉の進入を抑制できない。
【０００５】
そこで、本発明は、遊技領域からステージへの遊技玉の進入を抑制できる弾球遊技機を提供することを目的とする。
【課題を解決するための手段】
【０００６】
上記目的を達成するための請求項１に記載の発明は、盤面に形成されて遊技玉が流下する遊技領域と、遊技の演出のための演出領域とを有する遊技盤を有する弾球遊技機であって、上面が略水平に設けられた水平領域を有し、前記演出領域の前方に配置され、所定の流路を通過した遊技玉が転動するステージと、前記演出領域への遊技玉の進入を規制すべく、前記ステージと前記演出領域との間を仕切る仕切部と、前記仕切部から前方に向けて設けられる庇部と、前記庇部の前後方向の途中に配置され、前記遊技領域から前記ステージへの遊技玉の進入を規制するステージ進入規制部とを有する進入規制部材とを含み、前記ステージ進入規制部は、前記庇部においてステージ側に向かって凹んで形成された凹部の前側に設けられる前壁により構成され、前記前壁は、前記盤面と略同一平面に位置している、弾球遊技機を提供する。
【発明の効果】
【０００７】
遊技領域からステージへの遊技玉の進入を抑制できる弾球遊技機を提供できる。
【図面の簡単な説明】
【０００８】
【図１】本発明の第１実施形態に係る弾球遊技機の斜視図である。
【図２】前記弾球遊技機に含まれる遊技盤の正面図である。
【図３】図２に示すステージ、進入規制部材およびワープ通路役物の正面図である。
【図４】前記ステージ、前記進入規制部材および前記ワープ通路役物を前方側から見た分解斜視図である。
【図５】前記ステージ、前記進入規制部材および前記ワープ通路役物を後方側から見た分解斜視図である。
【図６】図３に示す切断面線VI−VIから見た断面図である。
【図７】図３に示す切断面線VII−VIIから見た断面図である。
【図８】図３に示す切断面線VIII−VIIIから見た断面図である。
【図９】図３に示す切断面線IX-IXから見た断面図である。
【図１０】ステージ進入規制壁に対する遊技玉の挙動の一例を説明するための模式的な断面図である。
【図１１】本発明の第２実施形態に係る進入規制部材の断面図である。
【図１２】第１変形例に係る進入規制部材の断面図であって、図８に対応する断面図である。
【図１３】第２変形例に係る進入規制部材の断面図であって、図８に対応する断面図である。
【発明を実施するための形態】
【０００９】
図１は、本発明の第１実施形態に係る弾球遊技機１の斜視図である。
弾球遊技機１は、遊技店内に配列された遊技島への取付け（設置）のための略四角枠状の外枠２と、外枠２に対し片開き可能に取り付けられた前枠３とを備えている。前枠３は、外枠２の左右一方、たとえば左側のヒンジ４によって、ヒンジ４の回動軸まわりに回動可能に保持されている。
【００１０】
前枠３の上部分には、遊技盤５が収容保持されている。前枠３の下部分には、発射装置（図示しない）が収容保持されている。前枠３の手前側には、前扉６が開閉可能に設けられている。また、前枠３の手前側には、前扉６の下方に、下部開閉板７が開閉可能に設けられている。前扉６には、遊技盤５に対向する位置に略円形の開口部８が形成されている。開口部８には、ガラス板などの透明板９が嵌められていて、前扉６を閉じた状態で、透明板９を介して、透明板９の奥側の遊技盤５を視認できる。前扉６の上部には、左右一対のスピーカ１０が配置されている。また、前扉６の下部分には、左右一対のランプユニット１１が配置されている。
【００１１】
下部開閉板７には、遊技に使用する遊技玉を貯留しておくための上皿１２と、上皿１２からオーバーフロー路（図示しない）を通して溢れた遊技玉を受け止める下皿１３とが上下に並んで設けられている。また、下皿１３の右側には、遊技玉を遊技盤５の盤面５Ａ（前面。図２参照）に打ち出す際に操作されるハンドル１４が配置されている。遊技者が、ハンドル１４を把持して回転操作することにより、発射装置（図示しない）から遊技盤５の盤面５Ａに向けて遊技玉を発射できる。また、遊技者は、ハンドル１４の回転角度を調整することにより、遊技盤５の盤面５Ａに向けて発射される遊技玉の勢いを調節できる。
【００１２】
図２は、弾球遊技機１に含まれる遊技盤５の正面図である。
遊技盤５の盤面５Ａには、遊技玉が流下する略円形状の遊技領域１５と、遊技の演出のための演出領域１６とが設定されている。演出領域１６は、遊技盤５の中央部に形成された開口１７内に設けられ、遊技領域１５から独立した領域である。開口１７内に、すなわち演出領域１６には、液晶表示装置１８が配置されている。液晶表示装置１８は、その前面に、略矩形の液晶表示領域１９を有している。液晶表示装置１８は、略矩形の液晶表示領域１９の略全域が開口１７から前方に臨むように鉛直姿勢をなしている。
【００１３】
遊技領域１５の周縁には、発射装置（図示しない）から発射された遊技玉を、遊技盤５の上部（左側上部）に導くための略円弧状のガイドレール２０と、ガイドレール２０に対向して延びる内レール２１とが配置されている。内レール２１の先端は遊技領域１５の上部まで延びていて、発射装置（図示しない）により発射された遊技玉は、ガイドレール２０と内レール２１との間を通って遊技領域１５の上部へと導かれる。遊技玉は、遊技領域１５に植設された多数本の障害釘２２の間を流下する。
【００１４】
遊技領域１５の下部には、第１特別図柄始動口２３、第２特別図柄始動口２４および電動チューリップ役物２５が配置されている。第１特別図柄始動口２３および第２特別図柄始動口２４は、上下に並置されている。電動チューリップ役物２５は、第２特別図柄始動口２４を開閉する一対の可動羽根２７を含み、各可動羽根２７の先端部が互いに接近する状態に窄められた姿勢と、一対の可動羽根２７が互いに離間するように拡開された姿勢との間で姿勢変形可能に設けられている。第１または第２特別図柄始動口２３，２４に遊技玉が入ると、予め定める個数（第１特別図柄始動口２３への遊技玉入玉に対してはたとえば５玉、または第２特別図柄始動口２４への遊技玉入玉に対してはたとえば３玉）の賞玉が、賞玉払出装置（図示しない）から払い出される。また、第１または第２特別図柄始動口２３，２４への遊技玉の入玉に伴って、特別利益状態を実行するか否かを決定するための大当たり判定が実行される。
【００１５】
第２特別図柄始動口２４の下方には、たとえば、左右に長い平面視長方形状をなす第１可変入賞口２８が配置されている。第１可変入賞口２８は、左右方向に関して、複数個（たとえば３〜４個）の遊技玉が同時に入玉可能なサイズに形成されている。第１可変入賞口２８は、横長の矩形板状の第１可変入賞役物３０によって開閉される。第１可変入賞口２８に遊技玉が入玉すると、予め定める個数（たとえば１０玉）の賞玉が、賞玉払出装置から払い出される。
【００１６】
遊技領域１５の右下部（始動入賞口ユニット２６の右方）には、左右に長い平面視長方形状をなす第２可変入賞口３１が配置されている。第２可変入賞口３１は、左右方向に関して、複数個（たとえば２〜３個）の遊技玉が同時に入玉可能なサイズに形成されている。第２可変入賞口３１は、横長の矩形板状の第２可変入賞役物３３によって開閉される。第２可変入賞口３１に遊技玉が入玉すると、予め定める個数（たとえば１０玉）の賞玉が、賞玉払出装置から払い出される。
【００１７】
また、遊技盤５の右下部（第２可変入賞口３１の右上方）には、遊技盤５の遊技領域１５を流下する遊技玉が通過可能な普通図柄ゲート３４が配置されている。普通図柄ゲート３４を遊技玉が通過すると、一対の可動羽根２７を拡開された姿勢にするか否かを決定するための普通図柄抽選が実行される。
また、遊技領域１５の左下部には、第１普通入賞口３６および第２普通入賞口３７が配置されている。第１および第２普通入賞口３６，３７に遊技玉が入賞すると、予め定める個数（たとえば３玉）の賞玉が、賞玉払出装置から払い出される。
【００１８】
遊技領域１５を流下する遊技玉のうち、第１もしくは第２特別図柄始動口２３，２４、第１もしくは第２可変入賞口２８，３１、または第１もしくは第２普通入賞口３６，３７のいずれにも入玉しなかった遊技玉（アウト玉）は、遊技領域１５の下部に設けられたアウト口３９から機内に入り、玉回収部（図示しない）に回収される。
遊技盤５の盤面５Ａにおけるガイドレール２０の外側領域の右上隅部には、第１特別図柄表示手段４０、第２特別図柄表示手段４１および普通図柄表示手段４２が配置されている。
【００１９】
第１特別図柄表示手段４０は、第１特別図柄始動口２３に遊技玉が入玉することを条件に、第１特別図柄を所定時間変動表示して、第１特別図柄始動口２３への入玉時に取得された大当たり判定乱数値が予め定められた大当たり判定値と一致する場合には所定の大当たり態様で、それ以外の場合にははずれ態様で停止する。
第２特別図柄表示手段４１は、第２特別図柄始動口２４に遊技玉が入玉することを条件に、第２特別図柄を所定時間変動表示して、第２特別図柄始動口２４への入玉時に取得された大当たり判定乱数値が予め定められた大当たり判定値と一致する場合には所定の大当たり態様で、それ以外の場合にははずれ態様で停止する。
【００２０】
普通図柄表示手段４２は、普通図柄ゲート３４に遊技玉が通過することを条件に普通図柄を所定時間変動表示して、普通図柄ゲート３４に対する遊技玉の通過時に取得された当り判定乱数値が予め定められた当り判定値と一致する場合には所定の当り態様で、一致しない場合には所定のはずれ態様で停止させるようになっている。
大当たり判定の結果（第１または第２特別図柄始動口２３，２４への入玉時に取得された大当たり判定乱数値が、予め定められた大当たり判定値と一致するか否か）は、第１または第２特別図柄表示手段４０，４１だけでなく、液晶表示装置１８の液晶表示領域１９にも表示される。すなわち、第１または第２特別図柄表示手段４０，４１における特別図柄の図柄変動動作中は、液晶表示領域１９において演出図柄（図示しない。たとえば「０」〜「９」の数字）の図柄変動動作が実行される。
【００２１】
大当たり判定の結果が大当たりであるときは、演出図柄の図柄変動動作の終了後、大当たり用の演出図柄の組合せが液晶表示領域１９に表示される。一方、大当たり判定の結果がはずれであるときは、演出図柄の図柄変動動作の終了後、はずれ用の演出図柄の組合せが液晶表示領域１９に停止表示される。
演出領域１６において、開口１７は、遊技領域１５と演出領域１６とを前後に仕切る枠部材５１により取り囲まれている。
【００２２】
枠部材５１は、開口１７の縁部に沿って配置されたフレーム枠５２と、フレーム枠５２の左辺部の前面に配置されたワープ通路役物５３と、枠部材５１の下部分の前方に配置されたステージ５４と、演出領域１６への遊技玉の進入を規制するための進入規制部材５５と、フレーム枠５２の前面、ステージ５４の前面およびワープ通路役物５３の前面をそれぞれ覆う装飾部材５６とを含む。ワープ通路役物５３は、枠部材５１の外側（ワープ通路役物５３の左側方）を流下する遊技玉を取り込んで、ステージ５４へと案内するための通路役物である。盤面５Ａの構成の説明は以上の通りであるが、本願発明は、ワープ通路役物５３、ステージ５４および進入規制部材５５に関する発明、とくに進入規制部材５５に関する発明であるので、盤面５Ａのうち、これらの部材以外の構成は、遊技の内容や盤面デザインに応じて適宜変更可能である。
【００２３】
図３は、ワープ通路役物５３、ステージ５４および進入規制部材５５の正面図である。図４は、ワープ通路役物５３、ステージ５４および進入規制部材５５を前方側から見た分解斜視図である。図５は、ワープ通路役物５３、ステージ５４および進入規制部材５５を後方側から見た分解斜視図である。図６は、図３に示す切断面線VI−VIから見た断面図である。図７は、図３に示す切断面線VII−VIIから見た断面図である。図８は、図３に示す切断面線VIII−VIIIから見た断面図である。図９は、図３に示す切断面線IX-IXから見た断面図である。
【００２４】
図３〜図５に示すように、進入規制部材５５は、ワープ通路役物５３との間でワープ通路５７（所定の流路）を区画するワープ通路区画部６９と、ステージ５４上の領域と演出領域１６との間を仕切る仕切部７０と、仕切部７０の上端縁から上斜め前方に向けて張り出す庇部７１とを有し、透明の樹脂材料を用いて一体的に形成されている。進入規制部材５５は、開口１７（図２参照）の下部領域の後方を覆うように枠部材５１（図２参照）の下部分に取り付けられており、枠部材５１にねじ等を用いて後方から固定されている。仕切部７０は、開口１７の縁部の下部領域から鉛直方向に立ち上がる板状部材である。
【００２５】
ワープ通路役物５３は、略Ｌ字状をなす筒状部材であり、進入規制部材５５の左端部に、ねじ等を用いて前方から固定されている。本実施形態では、ワープ通路役物５３は、ワープ通路役物５３単体のみでワープ通路５７を区画するのではなく、ワープ通路役物５３と進入規制部材５５との間にワープ通路５７を区画している。本実施形態では、ワープ通路役物５３と、ワープ通路役物５３の前面装飾用の装飾部材５６とは、一体的に形成されている。なお、ワープ通路５７が、ワープ通路役物５３単体のみで区画される構成を採用することもできる。この場合、進入規制部材５５にワープ通路区画部６９を設ける必要はない。
【００２６】
ワープ通路５７は、遊技領域１５（図２参照）の左部において左向きに開口する玉取入口５８と、ステージ５４の左端部上方で鉛直方向下向きに開口する玉放出口５９と、玉取入口５８と玉放出口５９との間において、上部分が鉛直下方に延びながら下部分が右下方向に向けて屈曲するように区画された通路部６０とを有している。遊技領域１５の左部を流下する、ある遊技玉は玉取入口５８に取り込まれ、通路部６０を通って玉放出口５９からステージ５４に放出（案内）される。
【００２７】
ステージ５４は、進入規制部材５５の下部分にねじ等を用いて前方から固定されている。ステージ５４は、左右に延びる長尺状をなすステージ上面６１を有している。ステージ上面６１は、略水平に延びる底部（水平領域）１０１と、底部１０１の左右にそれぞれ設けられる第１および第２テーパ部１０２，１０３とを含む。第１および第２テーパ部１０２，１０３には、それぞれ、底部１０１から離れるに従って高くなる上り傾斜が付されている。ステージ上面６１の右端には、ステージ立板部６１ａが、左右方向に垂直な鉛直方向上向きに一体的に設けられている。
【００２８】
ステージ上面６１の底部１０１は、左右方向に所定の長さＷ１を有している。底部１０１は、略水平な平坦面からなる平坦面部１０４と、平坦面部１０４において、互いに間隔を隔てて左右に並置された複数のスロープ（本実施形態では３つ。以下、「第１〜第３スロープ６２，６３，６４」という。）を含む。第１〜第３スロープ６２，６３，６４のそれぞれは、前方に向かうに従って下方に向かうスロープである。第１〜第３スロープ６２，６３，６４のそれぞれは、平坦面部１０４よりも僅かに低く設けられており、後方側から前方側に向けて広がる略台形状に設けられている。
【００２９】
ステージ５４には、ステージ上面６１の前端縁から鉛直方向上向きに立ち上がる落下規制壁６７が、ステージ上面６１と一体的に設けられている。落下規制壁６７は、ステージ上面６１の左右方向の全域に亘って設けられている。第１〜第３スロープ６２，６３，６４と対向する部分を除き、遊技者がステージ上面６１を視認可能なように、落下規制壁６７の高さは、左右方向の全域に亘って低く均一に設定されている。落下規制壁６７は、ステージ５４が遊技盤５（図２参照）に取り付けられた状態で、遊技盤５の盤面５Ａ（図２参照。すなわち遊技領域１５（図２参照））と同一平面上に位置している。落下規制壁６７における第１〜第３スロープ６２，６３，６４のそれぞれと対向する部分には、円弧状または楕円弧状の玉放出用切欠き１０５，１０６，１０７がそれぞれ形成されている。各玉放出用切欠き１０５，１０６，１０７は、対応するスロープ６２，６３，６４によって捕獲された遊技玉を、遊技盤５の盤面５Ａの遊技領域１５に向けて落下するように導く。第２スロープ６３に対応する玉放出用切欠き１０６は、当該玉放出用切欠き１０６から落下する遊技玉が、第１特別図柄始動口２３またはその周囲に導かれるように、第１特別図柄始動口２３の直上に配置されている。
【００３０】
右に向かうに従って下向きの傾斜が第１のテーパ部１０２に付されているので、ワープ通路５７の玉放出口５９からステージ上面６１に放たれた遊技玉は、ステージ上面６１を左端部側から右向きに転動する。第１のテーパ部１０２上を転動することにより加速された遊技玉は、底部１０１を右向きに通過し、右に向かうに従って上向きの傾斜が付された第２のテーパ部１０３上に乗り上がる。第２のテーパ部１０３上を転動する遊技玉は、その自重により減速し、その右向きの速度が零になった後、遊技玉は反転して左向きの転動を開始する。左向きに転動する遊技玉は、底部１０１を右向きに通過し、第１のテーパ部１０２上に乗り上がって減速し、その後、反転する。このように、遊技玉は、ステージ上面６１（とくに底部１０１）において、左右に往復転動しながら減速する。左右方向の流速をほとんど失った遊技玉は、底部１０１において第１〜第３スロープ６２，６３，６４のいずれかに捕獲されて、玉放出用切欠き１０５，１０６，１０７を通って、盤面５Ａの遊技領域１５に向けて落下する。第２スロープ６３に対応する玉放出用切欠き１０６が第１特別図柄始動口２３の直上に配置されているので、玉放出用切欠き１０６から落下する遊技玉は、第１特別図柄始動口２３に入玉（ヘソ入賞）の可能性が高い。一方、第１スロープ６２に対応する玉放出用切欠き１０５や、第３スロープ６４に対応する玉放出用切欠き１０７から落下する遊技玉は、第１特別図柄始動口２３に入玉の可能性が低い。
【００３１】
仕切部７０は、前述のように、ステージ５４上の領域と演出領域１６との間を仕切るための部分である。仕切部７０は、ステージ上面６１を転動する遊技玉の後方へ移動を規制し、すなわち、仕切部７０は、ステージ５４の後端規制壁として機能している。仕切部７０は、正面視において、ステージ上面６１に沿う円弧状の上端部７２を有している。庇部７１は、仕切部７０の上端部７２の全域から、上斜め前方に向けて張り出している。
【００３２】
庇部７１は、ステージ上面６１に対向する主板部７３と、主板部７３の左端部から水平な姿勢で左方向に延在し、ワープ通路役物５３に隣接する平板部７４と、主板部７３の右端部から鉛直方向下向きに延在する立板部７５とを有している。
主板部７３は、遊技領域１５からの演出領域１６への遊技玉の進入を規制するための部分であり、湾曲状をなしている。図６〜図９に示すように、主板部７３の、左右方向に直交する方向の断面形状は、前方に向かうに従って上方に向かう平板テーパ状である。主板部７３は上端部７６を有している。主板部７３の傾斜角度および上端部７６の高さは、遊技領域１５からの遊技玉が演出領域１６に進入できない角度および高さにそれぞれ設定されている。この実施形態では、ステージ５４が遊技盤５（図２参照）に取り付けられた状態で、庇部７１の上端部７６は、遊技盤５の盤面５Ａ（図２参照。すなわち遊技領域１５（図２参照））よりも前方側に位置している。
【００３３】
庇部７１の主板部７３には、遊技領域１５からステージ５４への遊技玉の進入を規制するステージ進入規制壁（ステージ進入規制部）７８が、主板部７３と一体的に設けられている。本実施形態では、ステージ進入規制壁７８は、左右に沿って延びる長尺な壁である。ステージ進入規制壁７８は、庇部７１の主板部７３において、ステージ５４側に向って凹んで形成された凹み（凹部）７７を区画する前壁によって構成されている。凹み７７の前端縁は、上端部（前端縁）７６よりも後方に位置している。凹み７７は、主板部７３のうち正面視でステージ５４の底部１０１の上方に位置し、かつ前後方向に関し主板部７３の後ろ側半分の領域に設けられており、主板部７３と仕切部７０の上端部７２とに跨って形成されている。
【００３４】
具体的には、凹み７７は、主板部７３よりも一段低い底部分７７Ａを有している。底部分７７Ａを区画する底壁は、主板部７３に沿う湾曲板状である。凹み７７は、庇部７１に直交する方向から見た平面視で、左右方向に長い略矩形状である。凹み７７の左側の横端面７７Ｂを区画する横壁は、前方に向かうに従って左側に向かうテーパ面により構成されており、凹み７７の右側の横端面７７Ｃを区画する横壁は、前方に向かうに従って左側に向かうテーパ面により構成されている。
【００３５】
ステージ進入規制壁７８は、盤面５Ａ（図２参照。遊技領域１５（図２参照））よりも前方（盤面と略同一平面に位置）で、かつ庇部７１の主板部７３の上端部７６よりも後方に位置している。ステージ進入規制壁７８は、前方に向かうに従って上方に向けて傾斜するテーパ状をなしている。ステージ進入規制壁７８の水平面に対する傾斜角度は、主板部７３の水平面に対する傾斜角度（たとえば約５°〜約２０°）よりも大きく（たとえば約４０°〜約７０°）設定されている。
【００３６】
正面視で、底部１０１の上方の領域以外の部分には、凹み７７はほとんど形成されていない。ステージ進入規制壁７８について言えば、ステージ進入規制壁７８の左端縁は、左右方向に関し、底部１０１の左端縁と略揃っている（厳密に言えば、微小量だけ左側にずれている）。ステージ進入規制壁７８の右端縁は、左右方向に関し、底部１０１の右端縁と略揃っている（厳密に言えば、微小量だけ右側にずれている）。換言すると、ステージ進入規制壁７８（の下端縁）は、正面視で底部１０１の上方の全域に亘って配置されているが、正面視で底部１０１の上方の領域以外の部分に、ステージ進入規制壁７８は設けられていない。ステージ進入規制壁７８は、正面視において、底部１０１の長さＷ１と略同一の（微小量だけ大きい）左右方向の長さＷ２を有している。
【００３７】
図１０は、ステージ進入規制壁７８に対する遊技玉７９の挙動の一例を説明するための模式的な断面図である。図３〜図５および図１０を参照して、ステージ進入規制壁７８に対する遊技玉７９の挙動の一例について説明する。遊技領域１５を流下する遊技玉７９が、遊技領域１５におけるステージ５４の下方部に配置された障害釘２２等によって弾かれることがある。弾かれた遊技玉７９が、ステージ５４に乗り上げることは好ましくない。なぜなら、ワープ通路５７（図３等参照）を通過した遊技玉のみがステージ５４に進入することが望ましい。遊技領域１５からの遊技玉７９の乗上げは、ワープ通路５７以外の経路を通ってステージ５４に進入することになり、ステージ５４を経由した第１特別図柄始動口２３への入賞率を調節する関係上好ましくない。
【００３８】
本実施形態では、遊技領域１５からステージ５４への遊技玉７９の乗上げ（進入）を規制するステージ進入規制壁７８が、進入規制部材５５に設けられている。とくに、本実施形態では、ステージ進入規制壁７８は遊技盤５の盤面５Ａよりも前方（盤面と略同一平面に位置）に配置されている。すなわち、ステージ進入規制壁７８が、ステージ５４上の空間よりも前方寄りに配置されている。しかも、ステージ進入規制壁７８は、前方に向かうに従って上方に傾斜するテーパ状をなしている。
【００３９】
したがって、遊技領域１５におけるステージ５４の下方部に配置された障害釘２２等によって弾かれた遊技玉７９がステージ５４側に向けて飛んだとしても、当該遊技玉７９はステージ進入規制壁７８と当接し、ステージ５４上の空間への当該遊技玉７９の進入が阻止される。
【００４０】
また、ステージ進入規制壁７８が、庇部７１の主板部７３において、正面視で底部１０１の上方の全域に亘って配置されている。ステージ５４では、最も低位置にある底部１０１において、とくに遊技玉７９の飛入りの懸念が大きいのであるが、ステージ進入規制壁７８がこのように設けられているので（図３も併せて参照）、遊技玉７９のステージ５４上の空間への進入をより効果的に抑制できる。
【００４１】
ゆえに、本実施形態によれば、遊技領域１５からステージ５４への遊技玉７９の乗上げを効果的に抑制できる。
また、ステージ進入規制壁７８が、庇部７１に形成される凹み７７を区画する前壁によって構成されている。庇部７１に凹み７７を設け、かつ凹み７７を区画する前壁でステージ進入規制壁７８を構成することにより、左右に長尺な壁であるステージ進入規制壁７８を、比較的簡単な構成で実現できる。
【００４２】
また、ステージ進入規制壁７８が、主板部７３の上端部７６よりも後方に位置しているので、主板部７３の上端部７６を、演出領域１６への遊技玉７９の進入を阻止可能な高さ位置に設けることが可能である。これにより、演出領域１６への遊技玉７９の進入を阻止するという庇部７１の機能を阻害することなく、ステージ５４への遊技玉７９の進入を阻止できる。
【００４３】
また、主板部７３の左右方向の端部７３Ｂ，７３Ｃ（図３等参照）は、比較的高い位置に設けられており、そのため、遊技領域１５からの遊技玉７９が進入し難いから、端部７３Ｂ，７３Ｃには、ステージ進入規制壁７８を形成していない。この場合、主板部７３の端部７３Ｂ，７３Ｃにおいて、主板部７３の上端部７６の高さ位置および主板部７３の傾斜角度を、演出領域１６への遊技玉の進入阻止だけを考慮して設定することが可能であり、これにより、主板部７３の端部７３Ｂ，７３Ｃの周辺（とくに左側の端部７３Ｂ）を介して、遊技玉７９が演出領域１６に進入することを確実に抑制できる。
【００４４】
図１１は、本発明の第２実施形態に係る進入規制部材８０の断面図であって、図８に対応する断面図である。
第２実施形態に係る進入規制部材８０が前述の第１実施形態に係る進入規制部材５５と異なる点は、ステージ進入規制壁７８に代えて、ステージ進入規制壁８２が設けられている点である。その他の点は、前述の第１実施形態と同様である。図１１において、前述の図１〜図１０に示された各部と対応する部分には同一の参照符号を付して、説明を省略する。
【００４５】
図１１に示すように、ステージ進入規制壁８２は、遊技盤５の盤面５Ａ（遊技領域１５）と同一平面上に位置し、鉛直方向に沿っている。ステージ進入規制壁８２が、左右に長尺な壁である点、庇部７１の主板部７３において凹み７７を区画する前壁によって構成されている点は、第１実施形態に係るステージ進入規制壁７８の場合と同様である。
この場合、ステージ進入規制壁８２が、ステージ５４の前端縁と前後方向に揃っている。障害釘２２（図１０参照）等によって弾かれた遊技玉がステージ５４側に向けて飛んだとしても、当該遊技玉はステージ進入規制壁８２と当接し、ステージ５４への当該遊技玉の進入が阻止される。
【００４６】
以上、本発明の２つの実施形態について説明したが、本発明はさらに他の形態で実施することもできる。
たとえば、前述の各実施形態では、ステージ進入規制壁７８，８２は、１つの凹みの前壁によってではなく、左右方向に間隔を空けて形成された複数の凹みの前壁によって構成されていてもよい。
【００４７】
また、図１２に示すように、第１実施形態に係るステージ進入規制壁７８が、庇部７１の主板部７３において、ステージ５４側に向って膨らんで形成された肉厚部８４のテーパ状の前壁によって、構成されていてもよい。この場合、庇部７１の主板部７３の上面は、その全域に亘って略平坦な平坦面を有している。また、肉厚部８４は、前後方向に関し主板部７３の後ろ側半分の領域に設けられており、主板部７３と仕切部７０の上端部７２とに跨って形成されている。むろん、このような構成を第２実施形態に係るステージ進入規制壁８２に適用してもよい。
【００４８】
また、図１３に示すように、第２実施形態に係るステージ進入規制壁８２が、主板部７３から垂下する板状部材によって構成されていてもよい。むろん、このような構成を第１実施形態に係るステージ進入規制壁７８に適用してもよい。
また、各ステージ進入規制壁７８，８２の前面は、なだらかな１つの面でなく、階段状に形成されていてもよい。
【００４９】
また、正面視で底部１０１の上方の領域だけでなく、正面視で底部１０１の上方の領域以外の部分にも、ステージ進入規制壁７８，８２が設けられていてもよい。
また、前述の各実施形態では、ステージ５４と進入規制部材５５とが別体とされた例について説明したが、ステージ５４と進入規制部材５５とが一体的に形成されていてもよい。
その他、特許請求の範囲に記載された事項の範囲で種々の設計変更を施すことが可能である。
【符号の説明】
【００５０】
１    弾球遊技機
５    遊技盤
１５    遊技領域
１６    演出領域
５４    ステージ
５５    進入規制部材
５７    ワープ通路
６１    ステージ上面
７１    庇部
７７    凹み
７８    ステージ進入規制壁
８０    進入規制部材
８２    ステージ進入規制壁
８４    肉厚部
１０１    底部（水平領域）
【図１】
0005967167.tif 000002
【図２】
0005967167.tif 000003
【図３】
0005967167.tif 000004
【図４】
0005967167.tif 000005
【図５】
0005967167.tif 000006
【図６】
0005967167.tif 000007
【図７】
0005967167.tif 000008
【図８】
0005967167.tif 000009
【図９】
0005967167.tif 000010
【図１０】
0005967167.tif 000011
【図１１】
0005967167.tif 000012
【図１２】
0005967167.tif 000013
【図１３】
0005967167.tif 000014